(57)【特許請求の範囲】
【請求項１】
操作スイッチを有する遮断器と、
前記遮断器を収納すると共に正面側を向く開口を有する筐体と、
前記筐体の開口を閉塞可能な扉と、を備え、
前記扉は、前記操作スイッチを正面側へ開放する覗き窓と、前記覗き窓を正面側から跨ぐ棒状部材と、を有し、
前記棒状部材は、正面視で前記操作スイッチと重なる位置に配置され、前記操作スイッチよりも正面側に配置されて前記操作スイッチから離間しており、前記覗き窓を閉塞していない、配電盤。
【請求項２】
前記覗き窓は、間隔をあけて直線状に複数配列されており、
前記棒状部材は、前記複数の覗き窓を跨いでおり、
前記配電盤は、前記扉を足場として前記棒状部材を支持する複数の支持部を有し、
前記棒状部材は、前記覗き窓同士の間に配置された支持部を含めて少なくとも３つの支持部で支持されている、請求項１に記載の配電盤。
【請求項３】
前記支持部は、前記扉にねじ止めされる土台と、前記土台から正面側に延び先端に前記棒状部材が挿入される孔又は窪みの挿入保持部と、を有する、請求項２に記載の配電盤。
【発明の詳細な説明】
【技術分野】
【０００１】
本開示は、配電盤に関する。
【背景技術】
【０００２】
分電盤、制御盤等の配電盤は、例えば特許文献１に例示するように、接点を開閉するための突状の操作スイッチを有する遮断器と、遮断器を収容すると共に正面側を向く開口を有する箱形の筐体と、筐体の開口を閉塞する扉と、を有する。扉には、操作スイッチを正面側へ開放する覗き窓が形成されている。
【先行技術文献】
【特許文献】
【０００３】
【特許文献１】特開２００１−３４６３０５号公報
【発明の概要】
【発明が解決しようとする課題】
【０００４】
配電盤の一種として、操作スイッチを正面側へ開放する覗き窓が形成される扉を中扉とし、中扉の外側に更に外扉を設けた配電盤が知られている。
【０００５】
一方、複数の配電盤が所狭しと配置される環境では、配電盤同士の距離が狭く、外扉を開くスペースがないことから、外扉を省略した配電盤が用いられることが多い。
【０００６】
しかしながら、外扉を省略した配電盤では、遮断器の操作スイッチが覗き窓を介して正面側に常時開放されているので、配電盤の正面にて他の作業している作業者や配電盤の正面を通過する作業者の腕や体が不意に操作スイッチに接触することがあり、操作スイッチが操作されてしまう場合があった。
【０００７】
本開示は、このような課題に着目してなされたものであって、その目的は、操作スイッチが不意に操作されることを防止する配電盤を提供することである。
【課題を解決するための手段】
【０００８】
本開示は、上記目的を達成するために、次のような手段を講じている。
【０００９】
すなわち、本開示の配電盤は、操作スイッチを有する遮断器と、前記遮断器を収納すると共に正面側を向く開口を有する筐体と、前記筐体の開口を閉塞可能な扉と、を備え、前記扉は、前記操作スイッチを正面側へ開放する覗き窓と、前記覗き窓を正面側から跨ぐガード部と、を有し、前記ガード部は、正面視で前記操作スイッチと重なる位置に配置されている。
【００１０】
このように、ガード部は、覗き窓を正面側から跨り、正面視で操作スイッチと重なる位置に配置されているので、腕や体が正面側から操作スイッチへ不意に近づいたとしても、ガード部によって操作スイッチへの接触が防止されるので、操作スイッチが不意に操作されることを防止することが可能となる。
【図面の簡単な説明】
【００１１】
【図１】本開示の配電盤を示す斜視図。
【図２】配電盤の正面図。
【図３】図２のＡ−Ａ部位断面図。
【図４】配電盤の内部を示す正面図。
【図５】遮断器、覗き窓及びガード部を示す説明正面図。
【図６】第１の配線固定枠を示す図。
【図７】第２の配線固定枠を示す図。
【図８】第１及び第２の配線固定枠の組み付けを示す説明図。
【図９】従来の配線固定枠を示す図。
【発明を実施するための形態】
【００１２】
本開示の一実施形態について図面を用いて説明する。
【００１３】
図１及び図２に示すように、配電盤は、操作スイッチ１０を有する複数の遮断器１と、複数の遮断器１を収納すると共に正面側Ｘ１を向く開口２０を有する筐体２と、筐体２の開口２０を閉塞可能な扉３と、を有する。
【００１４】
図１及び図３に示すように、遮断器１の操作スイッチ１０は、接点を開閉するために入状態及び切状態のいずれかに切換可能であり、筐体２側に取り付けられた状態で正面側Ｘ１に向かって突出している。
【００１５】
筐体２は、図１〜図３に示すように、開口２０を有する箱形をなし、天板部２１、背板部２２、側板部２３及び底板部２４で、遮断器１を含む電気機器を収納する空間を形成している。図３に示すように、配電盤を構成する各電気機器（遮断器１を含む）は中板４に取り付けられ、中板４が背板部２２に取り付けられる。
【００１６】
図１〜図３に示すように、遮断器１を含む電気機器の正面側Ｘ１には、扉３が側板部２３に開閉可能に取り付けられている。扉３には、遮断器１に対応する覗き窓３０が形成されており、遮断器１の操作スイッチ１０が覗き窓３０から正面側Ｘ１に開放（露出）している。扉３は、内部の電気機器の導電部を遮蔽して安全性を確保すると共に、見栄えを向上させるために設けられる。本実施形態では、扉３は、観音開きの扉であるが、これに限定されない。例えば片開きの扉であってもよい。
【００１７】
図２、図３及び図５に示すように、扉３には、覗き窓３０を正面側Ｘ１から跨ぐガード部５が設けられている。ガード部５は、正面視で操作スイッチ１０と重なる位置に配置されている。具体的には、ガード部５は、覗き窓３０を跨ぐ棒状部材５０と、扉３を足場として棒状部材５０を支持する複数の支持部５１と、を有する。本実施形態では、ガード部５は、ナイロンなどの樹脂で形成されているが、鉄やアルミなどの金属で形成してもよい。支持部５１は、図３に示すように、扉３にネジ止めされる土台５１ａと、土台５１ａから正面側Ｘ１へ延びその先端に棒状部材５０が挿入される孔又は窪みの挿入保持部５１ｂと、を有する。
【００１８】
図５に示すように、複数の遮断器１及びその操作スイッチ１０が直線状に配列しており、複数の操作スイッチ１０に対応して複数の覗き窓３０が直線状に配列している。棒状部材５０は、覗き窓３０同士の間に配置された支持部５１’を含めて少なくとも３つの支持部５１、５１’で支持されている。本実施形態では、３つの覗き窓３０が直線状に配列されているが、これに限定されない。直線状に配列される覗き窓３０が２つ以上あればよい。
【００１９】
本実施形態では、図５に示すように、３つの覗き窓３０の間に２つの支持部５１’が配置され、棒状部材５０の両端にそれぞれ支持部５１が配置され、合計で４つの支持部５１、５１’で棒状部材５０が支持されているが、これに限定されない。２つの覗き窓３０の間に配置された１つの支持部を含めて少なくとも３つの支持部で棒状部材５０が支持されていればよい。棒状部材５０の剛性によるが、棒状部材５０が２つ以上の支持部５１で支持されているのでもよい。
【００２０】
図４に示すように、配電盤を構成する電気機器（遮断器を含む）には、配線が接続されている。例えば、電気機器の一例である遮断器１には、外部から引き込まれた配線Ｓが接続される。配電盤には、多数の遮断器１が設けられるので、各々の配線Ｓを束ねて固定する必要がある。
【００２１】
本実施形態では、図４に示すように、複数の遮断器１を一列に配列した遮断器群１Ｇを、遮断器の二次側が内側になるように左右に配置し、遮断器群１Ｇの間に配線空間ＳＰ１を形成している。本実施形態では、筐体２の中央に上端から下端まで配線空間ＳＰ１が形成されている。配線空間ＳＰ１には、配線Ｓを束ねる配線固定枠６が設けられている。なお、外部からの配線Ｓをそのまま引き込めるように、筐体２を構成する天板部２１には、上下方向（Ｙ１、Ｙ２）及び正面側Ｘ１に開く配線用切り欠き２１ａが形成され、配線用切り欠き２１ａの正面側Ｘ１を閉塞する取り付けカバー２１ｂ（図２参照）が着脱可能に取り付けられる。
【００２２】
配線固定枠６は、図３に示すように、中板４を土台面とし、中板４に形成されたネジ溝（図示せず）にネジ止めされる。図９に示すように、従来の配線固定枠１０６は、正面枠体１６０と、正面枠体１６０の両端から後方へ延びる対をなす側面枠体１６１と、各々の側面枠体１６１の後端から外側へ延びる外側延出片１６２と、を有し、正面枠体１６０、側面枠体１６１及び土台面４で配線収容空間ＳＰ２が形成されており、外側延出片１６２には、土台面４に対するネジ止めに用いるネジ挿通部１６３が形成されている構成が一般的であった。
【００２３】
しかしながら、このような構成では、対をなす外側延出片１６２がスペースを占有するので、正面枠体１６０、側面枠体１６１及び土台面４で形成される配線収容空間ＳＰ２が小さくなり、束ねる配線の量が減ってしまう。配電盤は、狭い筐体２の内部に、遮断器１を含む電気機器が多数配置されるため、配線固定枠１０６を大きくするにも限界がある。
【００２４】
そこで、本実施形態では、配線固定枠６を次のように構成している。
【００２５】
図６に示すように、配線固定枠６は、正面枠体６０と、正面枠体６０の両端から後方へ延びる対をなす側面枠体６１と、各々の側面枠体６１の後端から内側へ延びる内側延出片６２と、を有し、正面枠体６０、側面枠体６１及び土台面４で配線収容空間ＳＰ２が形成されている。内側延出片６２には、図６及び図８に示すように、土台面４に対するネジｖでネジ止めに用いるネジ挿通部６３が形成されている。本実施毛形態では、配線固定枠６のネジ挿通部６３は、貫通孔であるが、内側延出片６２の端に開口する切り欠き状にしてもよい。正面枠体６０には、ネジ挿通部６３と同軸上に、ネジｖを回すための工具代空間６４が形成されている。工具代空間６４は、正面側Ｘ１からドライバーなどの工具ｔを通すための空間である。
【００２６】
本実施形態では、正面枠体６０及び側面枠体６１は、平板状をなしているが、これに限定されず、種々変形可能である。例えば、正面枠体及び側面枠体が一体となって湾曲していてもよい。
【００２７】
配線Ｓの量が多い場合には、図３に示すように、中板４にネジ止めされる第１の配線固定枠６以外に、点線で示す第２の配線固定枠６’を設けてもよい。第２の配線固定枠６’は、図７に示すように、第１の配線固定枠６とほぼ同様の構成を有するが、ネジ挿通部６３が、内側延出片の端に開口する切り欠き状である。勿論、第２の配線固定枠６’のネジ挿通部６３を貫通孔にしてもよい。図７に示すように、第２の配線固定枠６’のネジ挿通部６３が、内側延出片６２の下端に開口する切り欠き状であるので、ネジを緩めたときの落下を抑制できる。
【００２８】
図８に示すように、正面視において、第２の配線固定枠６’のネジ挿通部６３及び工具代空間６４の位置は、第１の配線固定枠６のネジ挿通部６３及び工具代空間６４の位置と異ならせてある。第１の配線固定枠６の正面枠体６０にネジ溝６０ａ（図８及び図６参照）が形成されている。これによって、図３及び図８に示すように、第１の配線固定枠６の正面枠体６０を、第２の配線固定枠６’の土台面として、２つの配線固定枠６、６’を２段に積み上げて固定可能にしている。
【００２９】
本実施形態では、複数の配線固定枠６、６’を２段に積み上げて固定可能に構成しているが、配線固定枠は２つに限定されない。配線固定枠を３つ以上設け、３段以上に積み上げて固定可能にしてもよい。
【００３０】
なお、第１の配線固定枠６を必須品として予め中板４にネジ止めで取り付けておき、第２の配線固定枠６’をオプション品として別途に販売する場合には、第１の配線固定枠６のネジ挿通部６３は貫通孔とし、第２の配線固定枠６’のネジ挿通部６３は、切り欠き状にしておき、第１の配線固定枠６のネジ溝６０ａにネジを仮止めしておくことが、取り扱いやすくなり、ユーザーフレンドリーとなる。
【００３１】
上記では、電気機器である遮断器１に接続される配線Ｓを束ねるための配線固定枠６、６’について説明したが、遮断器１以外の電気機器に接続される配線を束ねるための配線固定枠にも適用可能である。
【００３２】
以上のように、本実施形態の配電盤は、操作スイッチ１０を有する遮断器１と、遮断器１を収納すると共に正面側Ｘ１を向く開口２０を有する筐体２と、筐体２の開口２０を閉塞可能な扉３と、を備える。扉３は、操作スイッチ１０を正面側Ｘ１へ開放する覗き窓３０と、覗き窓３０を正面側Ｘ１から跨ぐガード部５と、を有する。ガード部５は、正面視で操作スイッチ１０と重なる位置に配置されている。
【００３３】
このように、ガード部５は、覗き窓３０を正面側Ｘ１から跨り、正面視で操作スイッチ１０と重なる位置に配置されているので、腕や体が正面側Ｘ１から操作スイッチ１０へ不意に近づいたとしても、ガード部５によって操作スイッチ１０への接触が防止されるので、操作スイッチ１０が不意に操作されることを防止することが可能となる。
【００３４】
棒状部材５０の両端部を支持部５１で支持する２点支持では、棒状部材５０が長くなれば、棒状部材５０が撓みやすくなり、場合によって棒状部材５０が操作スイッチ１０を保護する機能を適切に担保できなくなるおそれがある。
【００３５】
そこで、本実施形態では、覗き窓３０は、間隔をあけて直線状に複数配列されている。ガード部５は、複数の覗き窓３０を跨ぐ棒状部材５０と、扉３を足場として棒状部材５０を支持する複数の支持部５１、５１’と、を有する。棒状部材５０は、覗き窓３０同士の間に配置された支持部５１’を含めて少なくとも３つの支持部５１、５１’で支持されている。
【００３６】
この構成によれば、棒状部材５０が長くなっても２点支持に比べて棒状部材５０の撓みを抑制でき、棒状部材５０が操作スイッチ１０を保護する機能を適切に担保することが可能となる。それでいて、金属よりも低剛性であるが軽量である樹脂などの材料でガード部５を形成すれば、強度を確保しつつ軽量化が可能となる。
【００３７】
本実施形態では、土台面４にネジ止めされ、遮断器１に接続される配線Ｓを束ねる配線固定枠６を備える。配線固定枠６は、正面枠体６０と、正面枠体６０の両端から後方へ延びる対をなす側面枠体６１と、各々の側面枠体６１の後端から内側へ延びる内側延出片６２と、を有する。正面枠体６０、側面枠体６１及び土台面４で配線収容空間ＳＰ２が形成されている。内側延出片６２には、土台面４に対するネジ止めに用いるネジ挿通部６３が形成されている。正面枠体６０には、ネジ挿通部６３と同軸上に、ネジを回すための工具代空間６４が形成されている。
【００３８】
このように、ネジ挿通部６３が形成される延出片６２が内側へ折り曲げられているので、延出片６２と配線収容空間ＳＰ２との場所の取り合いがなくなり、配線収容空間ＳＰ２を広く確保可能となる。それでいて、ネジ挿通部６３と同軸上に工具代空間６４が形成されているので、ネジ止め作業が難しくなることはない。
【００３９】
本実施形態では、配線固定枠６、６’を複数有する。各々の配線固定枠６、６’は、正面視におけるネジ挿通部６３及び工具代空間６４の位置が他の配線固定枠と異ならせてあり、或る配線固定枠６の正面枠体６０を他の配線固定枠６’の土台面として、複数の配線固定枠６、６’を多段に積み上げて固定可能に構成されている。
【００４０】
この構成によれば、配線Ｓの取り扱いの自由度が向上し、作業効率を向上させることが可能となる。
【００４１】
本実施形態では、ネジ挿通部６３は、内側延出片６２の端に開口する切り欠き状に形成されている。
【００４２】
この構成によれば、予めネジｖが止めてある場合に、ネジｖを完全に取らずに緩めるだけで、配線固定枠を着脱可能となり、誤ってネジを落とすことを防止でき、取付作業が容易となる。
【００４３】
本開示は上述した実施形態に何ら限定されるものではなく、本開示の趣旨を逸脱しない範囲内で種々の改良変更が可能である。
【００４４】
例えば、配線固定枠６を適用する配電盤には、扉３の外側に更に外扉があってもよい。棒状部材５０は丸棒であるが、これに限定されず、形状は適宜変更可能である。
【００４５】
配線固定枠６は、遮断器１に接続される配線Ｓを束ねるのに使用されているが、遮断器１以外の電気機器に接続される配線を束ねるのにも利用可能である。すなわち、本開示の配電盤は、配電盤を構成する電気機器と、電気機器を収容する筐体２と、土台面にネジ止めされ、電気機器に接続される配線を固定する配線固定枠６を備え、配線固定枠６は、正面枠体６０と、正面枠体６０の両端から後方へ延びる対をなす側面枠体６１と、各々の側面枠体６１の後端から内側へ延びる内側延出片６２と、を有し、正面枠体６０及び側面枠体６１で配線収容空間ＳＰ２が形成されており、内側延出片６２には、ネジ止めに用いるネジ挿通部６３が形成されており、正面枠体６０には、ネジ挿通部６３と同軸上に、ネジを回すための工具代空間６４が形成されている。
【００４６】
また、本開示は、配線固定枠としても特定可能である。すなわち、本開示の配線固定枠は、配電盤側の土台面にネジ止めされ、配電盤を構成する電気機器に接続される配線を固定する配線固定枠であって、正面枠体６０と、正面枠体６０の両端から後方へ延びる対をなす側面枠体６１と、各々の側面枠体６１の後端から内側へ延びる内側延出片６２と、を有し、正面枠体６０及び側面枠体６１で配線収容空間ＳＰ２が形成されており、内側延出片６２には、ネジ止めに用いるネジ挿通部６３が形成されており、正面枠体６０には、ネジ挿通部６３と同軸上に、ネジを回すための工具代空間６４が形成されている。
【００４７】
本実施形態では、１つの覗き窓３０で１０個の遮断器１の操作スイッチ１０が開放されているが、１つの覗き窓３０で１つ以上の遮断器１の操作スイッチ１０が開放されていれば、これに限定されない。遮断器群１Ｇを構成する遮断器１の数は適宜変更可能である。
【００４８】
上記では、配電盤として分電盤を例に挙げて説明したが、制御盤としての配電盤にも本開示は適用可能である。
【符号の説明】
【００４９】
１…遮断器
１０…操作スイッチ
２…筐体
２０…開口
３…扉
３０…窓
４…中板（土台面）
５…ガード部
５０…棒状部材
５１、５１’…支持部
６…配線固定枠
６０…正面枠体（土台面）
６１…側面枠体
６２…内側延出片
６３…ネジ挿通部
６４…工具代空間
ＳＰ２…配線収容空間
Ｘ１…正面側
【図１】
0006415375.tif 000002
【図２】
0006415375.tif 000003
【図３】
0006415375.tif 000004
【図４】
0006415375.tif 000005
【図５】
0006415375.tif 000006
【図６】
0006415375.tif 000007
【図７】
0006415375.tif 000008
【図８】
0006415375.tif 000009
【図９】
0006415375.tif 000010